【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
基材と、
無機粒子、並びに、下記一般式（Ｉ）で表される構造を含む化合物及び下記一般式（ＩＩ）で表される構造を含む化合物からなる群から選択される少なくとも１種の化合物を含有するインク受容層と、
を有する記録媒体。
【化１】
2016010869.tif 000001
（一般式（Ｉ）及び一般式（ＩＩ）において、Ｒ１は下記一般式（ＩＩＩ）で表される構造、又は下記一般式（ＩＶ）で表わされる構造であり、Ｒ２〜Ｒ４はそれぞれ独立して、水素原子、単結合又は−（ＣＨ２）ｎ−（ｎは１以上の整数）で表される構造（但し、Ｒ２及びＲ３の一方が水素原子の場合は、他方は単結合又は−（ＣＨ２）ｎ−（ｎは１以上の整数）である）であり、−（ＣＨ２）ｎ−中の水素原子はアルキル基、ヒドロキシ基、アセトエステル基、アセトアセチル基、カルボキシル基、カルボニル基、エステル基、アミド基、シラノール基、ポリアルキルエーテル基、アミノ基、スルホ基、リン酸エステル基、ヒドロキシプロピル基及びアセタール基から選ばれる置換基によって置換されていても良く、Ｙは下記一般式（Ｖ）で表される構造である。）
【化２】
2016010869.tif 000002
（一般式（ＩＩＩ）及び一般式（ＩＶ）において、Ｒ５〜Ｒ７はそれぞれ独立して、水素原子、単結合又は−（ＣＨ２）ｎ−（ｎは１以上の整数）で表される構造（但し、Ｒ５及びＲ６の一方が水素原子の場合は、他方は単結合又は−（ＣＨ２）ｎ−（ｎは１以上の整数）である）であり、−（ＣＨ２）ｎ−中の水素原子はアルキル基、ヒドロキシ基、アセトエステル基、アセトアセチル基、カルボキシル基、カルボニル基、エステル基、アミド基、シラノール基、ポリアルキルエーテル基、アミノ基、スルホ基、リン酸エステル基、ヒドロキシプロピル基及びアセタール基から選ばれる置換基によって置換されていても良い。）
【化３】
2016010869.tif 000003
（一般式（Ｖ）において、ｏ及びｐはそれぞれ独立して０以上の整数であり、ｏとｐが同時に０とはならない。Ｒ’１〜Ｒ’８はそれぞれ独立して、水素原子、アルキル基、ヒドロキシアルキル基、カルボニル基、−Ｏ−、グルコース基、又は−（ＣＨ２）ｎ−（ｎは１以上の整数）で表される構造である。）
【請求項２】
前記化合物は、下記一般式（ＶＩＩＩ）〜（ＸＩ）からなる群から選択される少なくとも一種の繰り返し単位を含む化合物である請求項１に記載の記録媒体。
【化４】
2016010869.tif 000004
（上記各一般式において、Ｒ８〜Ｒ１１はそれぞれ独立して、単結合又は−（ＣＨ２）ｎ−（ｎは１以上の整数）で表される構造であり、−（ＣＨ２）ｎ−中の水素原子はアルキル基、ヒドロキシ基、アセトエステル基、アセトアセチル基、カルボキシル基、カルボニル基、エステル基、アミド基、シラノール基、ポリアルキルエーテル基、アミノ基、スルホ基、リン酸エステル基、ヒドロキシプロピル基及びアセタール基から選ばれる置換基によって置換されていても良く、Ｒ４は一般式（ＩＩ）と同様に定義され、Ｒ７は一般式（ＩＶ）と同様に定義される。）
【請求項３】
前記化合物が、ヒドロキシ基を有する水溶性ポリマーを、分子内にエーテル又はアセタールを少なくとも一つ有する多価アルデヒドにより架橋した架橋反応生成物である、請求項１または２に記載の記録媒体。
【請求項４】
前記水溶性ポリマーが、ポリビニルアルコール、変性ポリビニルアルコール、澱粉誘導体及びセルロース誘導体の少なくとも１種である、請求項３に記載の記録媒体。
【請求項５】
前記変性ポリビニルアルコールが、カチオン変性ポリビニルアルコール、アニオン変性ポリビニルアルコール、シリル変性ポリビニルアルコール及びアセトアセチル変性ポリビニルアルコールの少なくとも１種である、請求項４に記載の記録媒体。
【請求項６】
前記澱粉誘導体が、酸化澱粉、エーテル化澱粉及びリン酸エステル化澱粉の少なくとも１種である、請求項４または５に記載の記録媒体。
【請求項７】
前記多価アルデヒドが、糖類及びその誘導体のジオール部位が開環した多価アルデヒドの少なくとも１種である、請求項３乃至６の何れか１項に記載の記録媒体。
【請求項８】
前記多価アルデヒドが、ジアルデヒド澱粉である、請求項７に記載の記録媒体。
【請求項９】
前記化合物は、下記式（ＸＩＩ）〜（ＸＶ）からなる群から選択される少なくとも一種の繰り返し単位を含む化合物である請求項１乃至８の何れか１項に記載の記録媒体。
【化５】
2016010869.tif 000005
【請求項１０】
前記化合物は、ジアルデヒド澱粉と、ポリビニルアルコールとを反応させて得られる化合物である請求項１、２または９に記載の記録媒体。
【請求項１１】
前記化合物は、ジアルデヒド澱粉、ポリビニルアルコール、及び一級又は二級アミンを反応させて得られる化合物である請求項１、２、９または１０に記載の記録媒体。
【請求項１２】
前記無機粒子の一次粒子径は、３ｎｍ以上５０ｎｍ以下である請求項１乃至１１の何れか１項に記載の記録媒体。
【請求項１３】
前記インク受容層における前記無機粒子の含有量が、前記インク受容層の全質量に対して７０質量％以上９５質量％以下である請求項１乃至１２の何れか１項に記載の記録媒体。
【請求項１４】
基材とインク受容層とを有する記録媒体の製造方法であって、
前記基材に、無機粒子と、ヒドロキシ基を有する水溶性ポリマーと、分子内にエーテル又はアセタールを少なくとも一つ有する多価アルデヒドとを含有するインク受容層用の塗工液を塗工することでインク受容層を形成する工程を有することを特徴とする記録媒体の製造方法。
【請求項１５】
前記水溶性ポリマーが、ポリビニルアルコール、変性ポリビニルアルコール、澱粉誘導体及びセルロース誘導体の少なくとも１種である、請求項１４に記載の記録媒体の製造方法。
【請求項１６】
前記変性ポリビニルアルコールが、カチオン変性ポリビニルアルコール、アニオン変性ポリビニルアルコール、シリル変性ポリビニルアルコール及びアセトアセチル変性ポリビニルアルコールの少なくとも１種である、請求項１５に記載の記録媒体の製造方法。
【請求項１７】
前記澱粉誘導体が、酸化澱粉、エーテル化澱粉及びリン酸エステル化澱粉の少なくとも１種である、請求項１５または１６に記載の記録媒体の製造方法。
【請求項１８】
前記多価アルデヒドが、糖類及びその誘導体のジオール部位が開環した多価アルデヒドの少なくとも１種である、請求項１４乃至１７の何れか１項に記載の記録媒体の製造方法。
【請求項１９】
前記多価アルデヒドが、ジアルデヒド澱粉である、請求項１４乃至１８の何れか１項に記載の記録媒体の製造方法。
【請求項２０】
前記水溶性ポリマーがポリビニルアルコールであり、前記多価アルデヒドがジアルデヒド澱粉である、請求項１４に記載の記録媒体の製造。
【請求項２１】
前記インク受容層が、下記一般式（Ｉ）で表される構造を含む化合物及び下記一般式（ＩＩ）で表される構造を含む化合物からなる群から選択される少なくとも１種の化合物を含有する請求項１４乃至２０のいずれか１項に記録媒体の製造方法。
【化６】
2016010869.tif 000006
（一般式（Ｉ）及び一般式（ＩＩ）において、Ｒ１は下記一般式（ＩＩＩ）で表される構造、又は下記一般式（ＩＶ）で表わされる構造であり、Ｒ２〜Ｒ４はそれぞれ独立して、水素原子、単結合又は−（ＣＨ２）ｎ−（ｎは１以上の整数）で表される構造（但し、Ｒ２及びＲ３の一方が水素原子の場合は、他方は単結合又は−（ＣＨ２）ｎ−（ｎは１以上の整数）である）であり、−（ＣＨ２）ｎ−中の水素原子はアルキル基、ヒドロキシ基、アセトエステル基、アセトアセチル基、カルボキシル基、カルボニル基、エステル基、アミド基、シラノール基、ポリアルキルエーテル基、アミノ基、スルホ基、リン酸エステル基、ヒドロキシプロピル基及びアセタール基から選ばれる置換基によって置換されていても良く、Ｙは下記一般式（Ｖ）で表される構造である。）
【化７】
2016010869.tif 000007
（一般式（ＩＩＩ）及び一般式（ＩＶ）において、Ｒ５〜Ｒ７はそれぞれ独立して、水素原子、単結合又は−（ＣＨ２）ｎ−（ｎは１以上の整数）で表される構造（但し、Ｒ５及びＲ６の一方が水素原子の場合は、他方は単結合又は−（ＣＨ２）ｎ−（ｎは１以上の整数）である）であり、−（ＣＨ２）ｎ−中の水素原子はアルキル基、ヒドロキシ基、アセトエステル基、アセトアセチル基、カルボキシル基、カルボニル基、エステル基、アミド基、シラノール基、ポリアルキルエーテル基、アミノ基、スルホ基、リン酸エステル基、ヒドロキシプロピル基及びアセタール基から選ばれる置換基によって置換されていても良い。）
【化８】
2016010869.tif 000008
（一般式（Ｖ）において、ｏ及びｐはそれぞれ独立して０以上の整数であり、ｏとｐが同時に０とはならない。Ｒ’１〜Ｒ’８はそれぞれ独立して、水素原子、アルキル基、ヒドロキシアルキル基、カルボニル基、−Ｏ−、グルコース基、又は−（ＣＨ２）ｎ−（ｎは１以上の整数）で表される構造である。）
【請求項２２】
前記インク受容層用の塗工液は、更に、一級又は二級アミンを含む請求項１４乃至２１の何れか１項に記載の記録媒体の製造方法。
【請求項２３】
前記化合物は、下記一般式（ＶＩＩＩ）〜（ＸＩ）からなる群から選択される少なくとも一種の繰り返し単位を含む化合物である請求項１４乃至２２の何れか１項に記載の記録媒体の製造方法。
【化９】
2016010869.tif 000009
（上記各一般式において、Ｒ８〜Ｒ１１はそれぞれ独立して、単結合又は−（ＣＨ２）ｎ−（ｎは１以上の整数）で表される構造であり、−（ＣＨ２）ｎ−中の水素原子はアルキル基、ヒドロキシ基、アセトエステル基、アセトアセチル基、カルボキシル基、カルボニル基、エステル基、アミド基、シラノール基、ポリアルキルエーテル基、アミノ基、スルホ基、リン酸エステル基、ヒドロキシプロピル基及びアセタール基から選ばれる置換基によって置換されていても良く、Ｒ４は一般式（ＩＩ）と同様に定義され、Ｒ７は一般式（ＩＶ）と同様に定義される。）
【請求項２４】
前記化合物は、下記式（ＸＩＩ）〜（ＸＶ）からなる群から選択される少なくとも一種の化合物である請求項１４乃至２３の何れか１項に記載の記録媒体の製造方法。
【化１０】
2016010869.tif 000010
【請求項２５】
前記インク受容層を形成する工程は、さらに前記インク受容層用の塗工液を乾燥する工程を有する請求項１４乃至２４のいずれか１項に記載の記録媒体の製造方法。
【請求項２６】
前記塗工液を乾燥する工程は、前記インク受容層用の塗工液を加熱しながら乾燥する工程である請求項２５に記載の記録媒体の製造方法。
【請求項２７】
前記塗工液を乾燥する工程は、前記インク受容層用の塗工液を４０℃以上８０℃以下で加熱しながら、乾燥する工程である請求項２６に記載の記録媒体。